(57)【特許請求の範囲】
【請求項１】
シランカップリング剤と、導電性粒子とを含有し、且つリン酸エステル化合物を含有しない第１の接着層と、
リン酸エステル化合物を含有し、且つシランカップリング剤を含有しない第２の接着層と
を有する回路接続材料。
【請求項２】
前記第１の接着層の溶融粘度と、前記第２の接着層の溶融粘度との差が１０００Ｐａ・ｓ以下である請求項１に記載の回路接続材料。
【請求項３】
前記第１の接着層の最低溶融粘度到達温度と、第２の接着層の最低溶融粘度到達温度との差が１５℃以下である請求項１又は２に記載の回路接続材料。
【請求項４】
前記第１の接着剤及び前記第２の接着剤は、ラジカル重合性樹脂と、ラジカル重合開始剤とを含有する請求項１乃至３のいずれか１項に記載の回路接続材料。
【請求項５】
第１の電子部品の電極上に、シランカップリング剤と、導電性粒子とを含有し、且つリン酸エステル化合物を含有しない第１の接着層と、リン酸エステル化合物を含有し、且つシランカップリング剤を含有しない第２の接着層とを有する異方性導電フィルム、第２の電子部品を、前記第１の接着層が前記第１の電子部品上となるように順に配置する工程と、
前記第２の電子部品の上面から圧着ヘッドにて押圧する工程と
を有する実装体の製造方法。
【請求項６】
前記第１の電子部品が、シリコン窒化膜がコーティングされたガラス基板である請求項５に記載の実装体の製造方法。
【発明の詳細な説明】
【技術分野】
【０００１】
本発明は、導電性粒子が分散された回路接続材料、及びそれを用いた実装体の製造方法に関する。
【背景技術】
【０００２】
従来、異方性導電フィルム（ＡＣＦ：Anisotropic Conductive Film）は、プリント基板に半導体などの部品を装着させるために使用されている。例えば、ＬＣＤ（Liquid Crystal Display）パネルの製造においては、画素をコントロールする駆動ＩＣ（集積回路）をガラス基板に接合する、いわゆるチップ・オン・グラス（ＣＯＧ）などに用いられている。
【０００３】
また、近年、液晶パネルにおいて、接続面にＩＺＯ（Indium Zinc Oxide）、ＩＴＯ（Indium Tin Oxide）などの透過度が高い透明導電膜が形成され、配線の周囲表面にＳｉＮｘなどの透明絶縁膜が形成されたものが普及している。
【０００４】
このような液晶パネルを異方性導電接続する場合、金属配線である透明導電膜との密着性を向上させるためにリン酸エステル化合物を配合するとともに、無機物である透明絶縁膜との密着性を向上させるためにシランカップリング剤を配合した異方性導電フィルムが用いられる（例えば、特許文献１、２参照。）。
【０００５】
しかしながら、特許文献１、２の技術のように、リン酸エステル化合物とシランカップリング剤を合わせて配合すると、保管中にリン酸エステルが酸触媒として作用し、シランカップリング剤を加水分解させてしまい、圧着時の透明絶縁膜への密着性が低下してしまう。
【先行技術文献】
【特許文献】
【０００６】
【特許文献１】特開２００４−４３６０３号公報
【特許文献２】特開２００９−２７７７６９号公報
【発明の概要】
【発明が解決しようとする課題】
【０００７】
本発明は、このような従来の実情に鑑みて提案されたものであり、優れた貯蔵安定性を有する回路接続材料、及びそれを用いた実装体の製造方法を提供する。
【課題を解決するための手段】
【０００８】
本件発明者は、鋭意検討を行った結果、２層構造の回路接続材料のそれぞれの層にリン酸エステル化合物とシランカップリング剤を分けて配合することにより、貯蔵安定性が改善されることを見出した。
【０００９】
すなわち、本発明に係る回路接続材料は、シランカップリング剤と、導電性粒子とを含有し、且つリン酸エステル化合物を含有しない第１の接着層と、リン酸エステル化合物を含有し、且つシランカップリング剤を含有しない第２の接着層とを有することを特徴とする。
【００１０】
また、本発明に係る実装体の製造方法は、第１の電子部品の電極上に、シランカップリング剤と、導電性粒子とを含有し、且つリン酸エステル化合物を含有しない第１の接着層と、リン酸エステル化合物を含有し、且つシランカップリング剤を含有しない第２の接着層とを有する異方性導電フィルム、第２の電子部品を、前記第１の接着層が前記第１の電子部品上となるように順に配置する工程と、前記第２の電子部品の上面から圧着ヘッドにて押圧する工程とを有することを特徴とする。
【発明の効果】
【００１１】
本発明は、２層構造の回路接続材料のそれぞれの層にリン酸エステル化合物とシランカップリング剤を分けて配合することにより、シランカップリング剤が加水分解するのを防ぐことができ、優れた貯蔵安定性を得ることができる。また、シランカップリング剤を含有する第１の接着層に導電性粒子が含まれているため、圧着時、第１の電子部品との密着性を向上させることができ、さらに、導電性粒子の粒子捕捉率を向上させることができる。
【図面の簡単な説明】
【００１２】
【図１】シランカップリング剤による無機物に対する密着性の向上を説明するための図である。
【図２】液晶パネルの接続部の一部を示す平面図である。
【発明を実施するための形態】
【００１３】
以下、本発明の実施の形態について、図面を参照しながら下記順序にて詳細に説明する。
１．回路接続材料及びその製造方法
２．実装体の製造方法
３．実施例
【００１４】
＜１．回路接続材料及びその製造方法＞
図１は、シランカップリング剤による無機物に対する密着性の向上を説明するための図である。図１に示すように、シランカップリング剤は、一分子中に有機官能基と加水分解基を有しており、圧着時に無機材料の水酸基と脱水縮合することにより、無機材料との密着性を向上させることができる。
【００１５】
このシランカップリング剤は、長期保管により、空気中の水分によって加水分解が進行して部分的縮合によりオリゴマー化してしまい、圧着時までに水酸基が減少して密着力が減少してしまう。また、シランカップリング剤の加水分解は、リン酸エステル化合物などの酸触媒存在下で促進されてしまう。
【００１６】
これに対し、本実施の形態における回路接続材料は、シランカップリング剤と、導電性粒子とを含有する第１の接着層と、リン酸エステル化合物を含有する第２の接着層とを有する。これにより、シランカップリング剤とリン酸エステル化合物の接触を防ぐことができ、シランカップリング剤の加水分解を抑制することができる。よって、本実施の形態における回路接続材料は、優れた貯蔵安定性を有する。
【００１７】
第１の接着層は、シランカップリング剤を含有する接着剤組成物に導電性粒子が分散されている。これにより、例えば、第１の接着層をシリコン窒化膜がコーティングされたガラス基板に配置して圧着すれば、シリコン窒化膜に対して高い密着力を得ることができ、さらに、導電性粒子の高い粒子捕捉率を得ることができる。
【００１８】
シランカップリング剤としては、メタクリル系、ビニル系、エポキシ系、スチリル系、アクリル系、アミノ系、ウレイド系、メルカプト系、スルフィド系、イソシアネート系などが挙げられる。具体的には、３−メタクリロキシプロピルトリメトキシシラン、ビニルトリメトキシシラン、２−（３，４−エポキシシクロヘキシル）エチルトリメトキシシラン、ｐ−スチリルトリメトキシシラン、３−アクリロキシプロピルトリメトキシシラン、Ｎ−２−（アミノエチル）−３−アミノプロピルメチルジメトキシシラン、３−ウレイドプロピルトリエトキシシラン、３−メルカプトプロピルメチルジメトキシシラン、ビス（トリエトキシシリルプロピル）テトラスルフィド、３−イソシアネートプロピルトリエトキシシランなどが挙げられる。これらは単独で用いても良いし、２種類以上を組み合わせて用いても良い。これらの中でも、本実施の形態では、メタクリル系シランカップリング剤が好ましく用いられる。また、シランカップリング剤の添加量は、接着剤組成物１００質量部に対して、通常０．０１〜５質量部である。
【００１９】
導電性粒子としては、例えば、ニッケル、金、銅などの金属粒子、樹脂コア粒子にニッケル、銅、金、パラジウムなどのめっきを施したものなどが用いられる。また、導電性粒子の平均粒径は、接続信頼性の観点から、好ましくは１〜２０μｍ、より好ましくは２〜１０μｍである。また、接着剤組成物中の導電性粒子の平均粒子密度は、接続信頼性及び絶縁信頼性の観点から、好ましくは１０００〜５００００個／ｍｍ２、より好ましくは５０００〜３００００個／ｍｍ２である。
【００２０】
また、第１の接着層の接着剤組成物は、膜形成樹脂と、重合性樹脂と、重合開始剤とを含有する。
【００２１】
膜形成樹脂は、平均分子量が１００００以上の高分子量樹脂に相当し、フィルム形成性の観点から、１００００〜８００００程度の平均分子量であることが好ましい。膜形成樹脂としては、フェノキシ樹脂、ポリエステルウレタン樹脂、ポリエステル樹脂、ポリウレタン樹脂、アクリル樹脂、ポリイミド樹脂、ブチラール樹脂などの種々の樹脂が挙げられ、これらは単独で用いても、２種類以上を組み合わせて用いても良い。これらの中でも膜形成状態、接続信頼性などの観点からフェノキシ樹脂が好適に用いられる。膜形成樹脂の含有量は、接着剤組成物１００質量部に対して、通常３０〜８０質量部、好ましくは４０〜７０質量部である。
【００２２】
重合性樹脂は、ラジカル重合性樹脂、カチオン重合性樹脂などであり、用途に応じて適宜選択することができる。
【００２３】
ラジカル重合性樹脂は、ラジカルにより重合する官能基を有する物質であり、エポキシアクリレート、ウレタンアクリレート、ポリエステルアクリレートなどが挙げられ、これらは単独で用いても良いし、２種類以上を組み合わせて用いても良い。これらの中でも、本実施の形態では、エポキシアクリレートが好ましく用いられる。ラジカル重合性樹脂の含有量は、接着剤組成物１００質量部に対して、通常１０〜６０質量部、好ましくは２０〜５０質量部である。
【００２４】
ラジカル重合性樹脂を使用する場合のラジカル重合開始剤は、公知のものを使用することができ、中でも有機過酸化物を好ましく使用することができる。有機過酸化物としては、パーオキシケタール類、ジアシルパーオキサイド類、パーオキシジカーボネート類、パーオキシエステル類、ジアルキルパーオキサイド類、ハイドロパーオキサイド類、シリルパーオキサイド類などが挙げられ、これらは単独で用いても良いし、２種類以上を組み合わせて用いても良い。これらの中でも、本実施の形態では、パーオキシケタール類が好ましく用いられる。ラジカル重合開始剤の含有量は、ラジカル系の接着剤組成物１００質量部に対して、通常０．１〜３０質量部、好ましくは１〜２０質量部である。
【００２５】
カチオン重合性樹脂は、１官能性エポキシ化合物、含複素環エポキシ樹脂、脂肪族系エポキシ樹脂などを用いることができる。特にビスフェノールＡ型エポキシ樹脂、ビスフェノールＦ型エポキシ樹脂、ナフタレン型エポキシ樹脂、ノボラック型エポキシ樹脂等のエポキシ樹脂を単独又は混合して用いることが好ましい。
【００２６】
カチオン重合性樹脂を使用する場合のカチオン硬化剤は、カチオン種がエポキシ樹脂末端のエポキシ基を開環させ、エポキシ樹脂同士を自己架橋させるものを用いることができる。このようなカチオン硬化剤としては、芳香族スルホニウム塩、芳香族ジアゾニウム塩、ヨードニウム塩、ホスホニウム塩、セレノニウム塩等のオニウム塩を挙げることができる。特に、芳香族スルホニウム塩は、低温での反応性に優れ、ポットライフが長いため、カチオン硬化剤として好適である。
【００２７】
次に、第２の接着層について説明する。第２の接着層は、リン酸エステル化合物を含有する接着剤組成物である。リン酸エステル化合物により、例えば、ＩＺＯ（Indium Zinc Oxide）、ＩＴＯ（Indium Tin Oxide）などの金属配線である透明導電膜が形成された液晶パネルに対して高い密着力を得ることができる。
【００２８】
リン酸エステル化合物としては、リン酸エステル骨格を有するリン酸（メタ）アクリレートなどが挙げられ、具体的には、例えば、モノ（２−メタクリロイルオキシエチル）アシッドホスフェート、ジ（２−メタクリロイルオキシエチル）アシッドホスフェートジフェニル（２−アクリロイルオキシエチル）ホスフェート、ジフェニル（２−メタクリロイルオキシエチル）ホスフェート、フェニル（２−アクリロイルオキシエチル）ホスフェート等が挙げられる。これらは単独で用いても良いし、２種類以上を組み合わせて用いても良い。これらの中でも、本実施の形態では、モノ（２−メタクリロイルオキシエチル）アシッドホスフェートが好ましく用いられる。リン酸エステル化合物の含有量は、組成物１００質量部に対して、通常０．０１〜５質量部である。
【００２９】
また、第２の接着層の接着剤組成物は、第１の接着層と同様に、膜形成樹脂と、重合性樹脂と、重合開始剤とを含有する。また、膜形成樹脂、重合性樹脂、及び重合開始剤は、第１の樹脂と同様なものを使用し、第１の接着層と第２の接着層との溶融粘度、最低溶融粘度到達温度などの差を小さくすることが好ましい。
【００３０】
具体的には、第１の接着層の溶融粘度と、第２の接着層の溶融粘度との差が１０００Ｐａ・ｓ以下であることが好ましい。また、第１の接着層の最低溶融粘度到達温度と、第２の接着層の最低溶融粘度到達温度との差が１５℃以下であることが好ましい。これにより、例えば液晶パネルとＣＯＦ（Chip On Film）とを圧着させる際、第１の接着層と第２の接着層とが良く混ざり合い、液晶パネル側の配線とＣＯＦ側の配線の両者にリン酸エステル化合物を作用させることができる。
【００３１】
次に、上述した回路接続材料からなる異方性導電フィルムの製造方法について説明する。本実施の形態における異方性導電フィルムの製造方法は、シランカップリング剤と、導電性粒子とを含有する第１の接着層上に、リン酸エステル化合物を含有する第２の接着層を形成する。
【００３２】
具体的には、シランカップリング剤と、導電性粒子とを含有する第１の接着層を生成する工程と、リン酸エステル化合物を含有する第２の接着層を生成する工程と、第１の接着層と第２の接着層とを貼り付ける工程とを有する。
【００３３】
第１の接着層を生成する工程では、膜形成樹脂と、重合性樹脂と、重合開始剤と、シランカップリング剤と、導電性粒子とを溶剤に溶解させる。溶剤としては、トルエン、酢酸エチルなど、又はこれらの混合溶剤を用いることができる。第１の接着層の樹脂組成物を調整後、バーコーター、塗布装置などを用いて剥離基材上に塗布する。剥離基材は、例えば、シリコーンなどの剥離剤をＰＥＴ（Poly Ethylene Terephthalate）、ＯＰＰ（Oriented Polypropylene）、ＰＭＰ（Poly-4-methylpentene−1）、ＰＴＦＥ（Polytetrafluoroethylene）などに塗布した積層構造からなり、異方性導電材料中の樹脂の乾燥を防ぐとともに、樹脂の形状を維持する。
【００３４】
次に、剥離基材上に塗布された異方性導電材料を熱オーブン、加熱乾燥装置などにより乾燥させる。これにより、厚さ５〜５０μｍ程度の第１の接着層を得ることができる。
【００３５】
また、第２の接着層を生成する工程は、第１の接着層と同様に、膜形成樹脂と、重合性樹脂と、重合開始剤と、リン酸エステル化合物とを溶剤に溶解させ、第２の接着層の樹脂組成物を調整後、これを剥離シート上に塗布し、溶剤を揮発させて第２の接着層を得る。
【００３６】
次に、第１の接着層と第２の接着層とを貼り付ける工程では、第２の接着層の剥離シートを剥離して第１の接着層上に貼り付ける。
【００３７】
このように第１の接着層と第２の接着層とを貼り付けることにより、剥離基材上に第１の接着層と第２の接着層とがこの順に積層された異方性導電フィルムを得ることができる。
【００３８】
なお、上述の実施の形態では、第１の接着層と第２の接着層とを貼り付けて製造することとしたが、これに限られるものではなく、一方の接着層を形成後、他方の接着層の樹脂組成物を塗布し、乾燥させて製造しても良い。
【００３９】
＜２．実装体の実装方法＞
次に、上述した回路接続材料を用いた電子部品の実装方法について説明する。本実施の形態における電子部品の実装方法は、第１の電子部品の電極上に、シランカップリング剤と、導電性粒子とを含有する第１の接着層と、リン酸エステル化合物を含有する第２の接着層とを有する異方性導電フィルム、第２の電子部品を、第１の接着層が第１の電子部品上となるように順に配置する工程と、第２の電子部品の上面から圧着ヘッドにて押圧する工程とを有する。これにより、第１の電子部品の電極と第２の電子部品の電極とを導電性粒子を介して接続するとともに、異方性導電フィルムを硬化させることができる。
【００４０】
ここで、第１の電子部品としては、ガラス基板にＩＺＯ（Indium Zinc Oxide）膜がコーティングされたＩＺＯコーティングガラス、ガラス基板にＳｉＮｘ（シリコン窒化）膜がコーティングされたＳｉＮｘコーティングガラスなどが挙げられる。また、第２の電子部品としては、ＣＯＦ（Chip On Film）、ＩＣ（Integrated Circuit）などが挙げられる。
【００４１】
図２は、液晶パネルの接続部の一部を示す平面図である。図２に示すように、液晶パネルの接続部１０には、ＩＺＯ（Indium Zinc Oxide）、ＩＴＯ（Indium Tin Oxide）などの透明導電膜１１が形成され、その周囲表面にＳｉＮｘなどの透明絶縁膜１２が形成されている。
【００４２】
本実施の形態では、シランカップリング剤と導電性粒子とを含有する第１の接着層を液晶パネルの接続部１０上に接触させて圧着するため、透明絶縁膜１２対して高い密着力を得ることができ、さらに、導電性粒子の高い粒子捕捉率を得ることができる。また、第１の接着層と第２の接着層とが良く混ざり合うため、液晶パネルの透明導電膜１１にリン酸エステル化合物を作用させることができる。
【実施例】
【００４３】
＜３．実施例＞
以下、本発明の実施例について説明する。ここでは、シランカップリング剤と、導電性粒子とを含有する第１の接着層と、リン酸エステル化合物を含有する第２の接着層とを有する異方性導電フィルムを作製し、貯蔵安定性加速試験を行った。また、第１の接着層と第２の接着層の溶融粘度及び最低溶融粘度到達温度に対する接着強度の影響について調べた。なお、本発明はこれらの実施例に限定されるものではない。
【００４４】
貯蔵安定性加速試験、接着強度の測定、溶融粘度及び最低溶融粘度到達温度の測定は、次のように行った。
【００４５】
［貯蔵安定性加速試験］
異方性導電フィルムを３０℃−８０％ＲＨのオーブンにて８時間フィルムエージングを行った。そして、エージング後の異方性導電フィルムを用いて実装体を作製し、接着強度を測定した。
【００４６】
［接着強度の測定］
ガラス基板とＣＯＦ（Chip On Film）の実装体の初期の接着強度について、引っ張り試験機（品番：ＲＴＣ１２０１、ＡＮＤ社製）を用いて測定した。測定速度を５０ｍｍ／ｓｅｃとし、ＣＯＦを９０度方向に引き上げた時の接着強度を測定した。
【００４７】
［溶融粘度及び最低溶融粘度到達温度の測定］
異方性導電フィルムを５００μｍの厚みになるように重ね合わせ、溶融粘度計（ＨＡＡＫＥ Ｒｈｅｏｓｔｒｅｓｓ ＲＳ−１５０、Thermo Fisher Scientific社製）を用いて、昇温温度１０℃／ｍｉｎ、周波数１Ｈｚ、加圧力１Ｎ、測定温度範囲３０〜１８０℃の条件で測定を行った。
【００４８】
＜３．１  貯蔵安定性について＞
［実施例１］
（第１の接着層の作製）
フェノキシ樹脂（品名：ＹＰ−５０、東都化成社製）を固形分換算で７０質量部、及びラジカル重合成樹脂（品名：ＥＢ−６００、ダイセルサイテック社製）を３０質量部で構成された組成物中に、平均粒子径５μｍの導電性粒子（品名：ＡＵＬ７０５、積水化学工業社製）を粒子密度１００００個/ｍｍ２になるよう分散させた。次いで、反応開始剤（品名：パーヘキサＣ、日本油脂社製）を２質量部、及びシランカップリング剤（品名：ＫＢＭ−５０３、信越化学工業製)を２質量部加えて調整した。この接着剤組成物をＰＥＴフィルム上にバーコーターを用いて塗布し、オーブンで乾燥させ、厚さ１０μｍの第１の接着層を作製した。
【００４９】
（第２の接着層の作製）
フェノキシ樹脂（品名：ＹＰ−５０、東都化成社製）を固形分換算で６０質量部、（品名：ＥＢ−６００、ダイセルサイテック社製）を４０質量部、（品名：パーヘキサＣ、日本油脂社製）を２質量部、及びリン酸エステルアクリレート（品名：Ｐ−２Ｍ、共栄化学社製）を２質量部として構成された接着剤組成物をＰＥＴフィルム上にバーコーターを用いて塗布し、オーブンで乾燥させ、厚さ１０μｍの第２の接着層を作製した。
【００５０】
（異方性導電フィルムの作製）
厚さ１０μｍの第１の接着層と、厚さ１０μｍの第２の接着層とを貼り付け、２層構造の異方性導電フィルムを作製した。
【００５１】
（実装体の作製）
評価用ガラス基板（ＩＺＯ（Indium Zinc Oxide）２５０ｎｍコーティングガラス）に１．５ｍｍ幅にスリットされた異方性導電フィルムを、１５０μｍ厚の緩衝材（ポリテトラフルオロエチレン）を用い、１．５ｍｍ幅のツールの仮圧着機にて７０℃−１ＭＰａ−１ｓｅｃの条件で仮圧着した。次いで、評価用ＣＯＦ（５０μｍＰ、Ｃｕ８μｍｔ−Ｓｎメッキ、３８μｍｔ）を同圧着機にて８０℃−０．５ＭＰａ−０．５ｓｅｃの条件で仮固定し、最後に１９０℃−２ＭＰａ−１０ｓｅｃの条件にて１．５ｍｍ幅のツールを用いた本圧着機で圧着し、実装体を作製した。
【００５２】
（評価結果）
表１に、実施例１の評価結果を示す。実施例１において、第１の接着層及び第２の接着層の溶融粘度は、それぞれ１８３０Ｐａ・ｓ、１３２０Ｐａ・ｓであり、第１の接着層及び第２の接着層の最低溶融粘度到達温度は、それぞれ１１７℃、１１０℃であった。また、貯蔵安定性の加速試験前及び加速試験後の接着強度は、それぞれ８．０Ｎ／ｃｍ、７．８Ｎ／ｃｍであった。
【００５３】
［比較例１］
（第１の接着層）
フェノキシ樹脂（品名：ＹＰ−５０、東都化成社製）を７０質量部、ラジカル重合成樹脂（品名：ＥＢ−６００、ダイセルサイテック社製）を３０質量部で構成された組成物中に、平均粒子径５μｍの導電性粒子（品名：ＡＵＬ７０５、積水化学工業社製）を粒子密度１００００個/ｍｍ２になるよう分散させた。次いで、反応開始剤（品名：パーヘキサＣ、日本油脂社製）を２質量部、シランカップリング剤（品名：ＫＢＭ−５０３、信越化学工業製)を２質量部、及びリン酸エステルアクリレート（品名：Ｐ−２Ｍ、共栄化学社製）を２質量部加えて調整し、この接着剤組成物をＰＥＴフィルム上にバーコーターを用いて塗布し、オーブンで乾燥させ、厚さ１０μｍの第１の接着層を作製した。
【００５４】
（第２の接着層）
フェノキシ樹脂（品名：ＹＰ−５０、東都化成社製）を固形分換算で６０質量部、（品名：ＥＢ−６００、ダイセルサイテック社製）を４０質量部、反応開始剤（品名：パーヘキサＣ、日本油脂社製）を２質量部、シランカップリング剤（品名：ＫＢＭ−５０３、信越化学工業製)を２質量部及びリン酸エステルアクリレート（品名：Ｐ−２Ｍ、共栄化学社製）を２質量部として構成された接着剤組成物をＰＥＴフィルム上にバーコーターを用いて塗布し、オーブンで乾燥させ、厚さ１０μｍの第２の接着層を作製した。
【００５５】
第１の接着層及び第２の接着層以外は、実施例１と同様にして、異方性導電フィルム及び実装体を作製した。
【００５６】
（評価結果）
表１に、比較例１の評価結果を示す。比較例１において、第１の接着層及び第２の接着層の溶融粘度は、それぞれ１８３０Ｐａ・ｓ、１３２０Ｐａ・ｓであり、第１の接着層及び第２の接着層の最低溶融粘度到達温度は、それぞれ１１７℃、１１０℃であった。また、貯蔵安定性の加速試験前及び加速試験後の接着強度は、それぞれ７．９Ｎ／ｃｍ、２．３Ｎ／ｃｍであった。
【００５７】
【表１】
0005934528.tif 000002
【００５８】
表１に示すように、第１の接着層及び第２の接着層の両方にシランカップリング剤及びリン酸エステル化合物を配合した比較例１は、加速試験後に接着強度が低下した。一方、第１の接着層及び第２の接着層のそれぞれにリン酸エステル化合物とシランカップリング剤を分けて配合した実施例１は、加速試験後に接着強度が低下しなかった。よって、実施例１によれば、優れた貯蔵安定性を得ることができることが分かった。
【００５９】
＜３．２  溶融粘度の差について＞
［実施例２］
（第２の接着層）
フェノキシ樹脂（品名：ＹＰ−５０、東都化成社製）を固形分換算で５０質量部、（品名：ＥＢ−６００、ダイセルサイテック社製）を５０質量部、反応開始剤（品名：パーヘキサＣ、日本油脂社製）を２質量部、及びリン酸エステルアクリレート（品名：Ｐ−２Ｍ、共栄化学社製）を２質量部として構成された接着剤組成物をＰＥＴフィルム上にバーコーターを用いて塗布し、オーブンで乾燥させ、厚さ１０μｍの第２の接着層を作製した。
【００６０】
第２の接着層以外は、実施例１と同様にして、異方性導電フィルム及び実装体を作製した。
【００６１】
（評価結果）
表１に、実施例２の評価結果を示す。実施例２において、第１の接着層及び第２の接着層の溶融粘度は、それぞれ１８３０Ｐａ・ｓ、８３０Ｐａ・ｓであり、第１の接着層及び第２の接着層の最低溶融粘度到達温度は、それぞれ１１７℃、１１２℃であった。また、貯蔵安定性の加速試験前及び加速試験後の接着強度は、それぞれ８．１Ｎ／ｃｍ、７．９Ｎ／ｃｍであった。
【００６２】
［比較例２］
（第２の接着層）
フェノキシ樹脂（品名：ＹＰ−７０、東都化成社製）を固形分換算で６０質量部、（品名：ＥＢ−６００、ダイセルサイテック社製）を４０質量部、反応開始剤（品名：パーヘキサＣ、日本油脂社製）を２質量部、及びリン酸エステルアクリレート（品名：Ｐ−２Ｍ、共栄化学社製）を２質量部として構成された接着剤組成物をＰＥＴフィルム上にバーコーターを用いて塗布し、オーブンで乾燥させ、厚さ１０μｍの第２の接着層を作製した。
【００６３】
第２の接着層以外は、実施例１と同様にして、異方性導電フィルム及び実装体を作製した。
【００６４】
（評価結果）
表１に、比較例２の評価結果を示す。比較例２において、第１の接着層及び第２の接着層の溶融粘度は、それぞれ１８３０Ｐａ・ｓ、５３０Ｐａ・ｓであり、第１の接着層及び第２の接着層の最低溶融粘度到達温度は、それぞれ１１７℃、１０８℃であった。また、貯蔵安定性の加速試験前及び加速試験後の接着強度は、それぞれ２．８Ｎ／ｃｍ、２．５Ｎ／ｃｍであった。
【００６５】
【表２】
0005934528.tif 000003
【００６６】
表２に示すように、第１の接着層と第２の接着層との溶融粘度の差が大きい比較例２は、加速試験前において高い接着強度を得ることができなかった。一方、実施例１，２のように第１の接着層と第２の接着層との溶融粘度の差を１０００Ｐａ・ｓ以下とすることにより、第１の接着層と第２の接着層とが良く混ざり合い、高い接着強度を得ることができた。
【００６７】
＜３．３  最低溶融粘度到達温度の差について＞
［実施例３］
（第２の接着層）
フェノキシ樹脂（品名：ＹＰ−５０、東都化成社製）を固形分換算で６０質量部、（品名：ＥＢ−６００、ダイセルサイテック社製）を４０質量部、反応開始剤（品名：パーヘキサＣ、日本油脂社製）を３質量部、及びリン酸エステルアクリレート（品名：Ｐ−２Ｍ、共栄化学社製）を２質量部として構成された接着剤組成物をＰＥＴフィルム上にバーコーターを用いて塗布し、オーブンで乾燥させ、厚さ１０μｍの第２の接着層を作製した。
【００６８】
第２の接着層以外は、実施例１と同様にして、異方性導電フィルム及び実装体を作製した。
【００６９】
（評価結果）
表３に、実施例３の評価結果を示す。実施例３において、第１の接着層及び第２の接着層の溶融粘度は、それぞれ１８３０Ｐａ・ｓ、１３２０Ｐａ・ｓであり、第１の接着層及び第２の接着層の最低溶融粘度到達温度は、それぞれ１１７℃、１０２℃であった。また、貯蔵安定性の加速試験前及び加速試験後の接着強度は、それぞれ８．２Ｎ／ｃｍ、８．０Ｎ／ｃｍであった。
【００７０】
［比較例３］
（第２の接着層）
フェノキシ樹脂（品名：ＹＰ−５０、東都化成社製）を固形分換算で６０質量部、（品名：ＥＢ−６００、ダイセルサイテック社製）を４０質量部、反応開始剤（品名：パーヘキサＣ、日本油脂社製）を５質量部、及びリン酸エステルアクリレート（品名：Ｐ−２Ｍ、共栄化学社製）を２質量部として構成された接着剤組成物をＰＥＴフィルム上にバーコーターを用いて塗布し、オーブンで乾燥させ、厚さ１０μｍの第２の接着層を作製した。
【００７１】
第２の接着層以外は、実施例１と同様にして、異方性導電フィルム及び実装体を作製した。
【００７２】
（評価結果）
表３に、比較例３の評価結果を示す。比較例３において、第１の接着層及び第２の接着層の溶融粘度は、それぞれ１８３０Ｐａ・ｓ、１３２０Ｐａ・ｓであり、第１の接着層及び第２の接着層の最低溶融粘度到達温度は、それぞれ１１７℃、９７℃であった。また、貯蔵安定性の加速試験前及び加速試験後の接着強度は、それぞれ３．２Ｎ／ｃｍ、２．８Ｎ／ｃｍであった。
【００７３】
［比較例４］
（第２の接着層）
フェノキシ樹脂（品名：ＹＰ−７０、東都化成社製）を固形分換算で６０質量部、（品名：ＥＢ−６００、ダイセルサイテック社製）を４０質量部、反応開始剤（品名：パーヘキサＣ、日本油脂社製）を５質量部、及びリン酸エステルアクリレート（品名：Ｐ−２Ｍ、共栄化学社製）を２質量部として構成された接着剤組成物をＰＥＴフィルム上にバーコーターを用いて塗布し、オーブンで乾燥させ、厚さ１０μｍの第２の接着層を作製した。
【００７４】
第２の接着層以外は、実施例１と同様にして、異方性導電フィルム及び実装体を作製した。
【００７５】
（評価結果）
表３に、比較例４の評価結果を示す。比較例４において、第１の接着層及び第２の接着層の溶融粘度は、それぞれ１８３０Ｐａ・ｓ、５３０Ｐａ・ｓであり、第１の接着層及び第２の接着層の最低溶融粘度到達温度は、それぞれ１１７℃、９８℃であった。また、貯蔵安定性の加速試験前及び加速試験後の接着強度は、それぞれ３．２Ｎ／ｃｍ、２．８Ｎ／ｃｍであった。
【００７６】
【表３】
0005934528.tif 000004
【００７７】
表３に示すように、第１の接着層と第２の接着層との最低溶融粘度の到達温度の差が大きい比較例３は、加速試験前において高い接着強度を得ることができなかった。さらに、第１の接着層と第２の接着層との溶融粘度の差が大きい比較例４も、加速試験前において高い接着強度を得ることができなかった。一方、実施例１乃至３のように第１の接着層と第２の接着層との最低溶融粘度の到達温度の差を１５℃以下とすることにより、第１の接着層と第２の接着層とが良く混ざり合い、高い接着強度を得ることできた。
【符号の説明】
【００７８】
１０  接続部、１１  透明導電膜、１２  透明絶縁膜
【図１】
0005934528.tif 000005
【図２】
0005934528.tif 000006